(57)【要約】【課題】より安全性・利便性の高い携帯時計及びプロテクターを提供する。【解決手段】携帯時計は胴１０と回転ベゼル２０との外周部にプロテクター３０を配置している。プロテクター３０については、回転ベゼル２０を手で回すための部分的切欠３２を上端部に設け、溝４３ａ、４３ｂ、４３ｃ及び突起３３ａ、３３ｂ、３３ｃを用いてプロテクターに対して円周方向４１ａ、４１ｂに揺動可能なプロテクター補助部材４０を外周部に設け、揺動により部分的切欠３２の外周部を囲う面積３４が増減するようにプロテクター補助部材４０の上端部に切欠あるいは突起４４を設け、面積３４が増加する位置でプロテクター補助部材４０を固定させるための部位３５、４５を設けるよう構成する。【選択図】図１
2010043893.tif 000002
【特許請求の範囲】
【請求項１】
胴と回転ベゼルとの外周部にプロテクターを配置する携帯時計であって、
前記プロテクターについては、
前記回転ベゼルを手で回すための部分的切欠を上端部に設け、
溝及び突起を用いて該プロテクターに対して円周方向または軸方向またはその両方に揺動可能なプロテクター補助部材を外周部に設け、
前記揺動により前記部分的切欠の外周部を囲う面積が増減するように前記プロテクター補助部材の上端部に切欠あるいは突起を設け、
前記面積が増加する位置で前記プロテクター補助部材を固定させるための部位を設けるよう構成した
ことを特徴とする携帯時計。
【請求項２】
携帯時計の胴と回転ベゼルとの外周部に配置されるプロテクターであって、
該プロテクターは、
前記回転ベゼルを手で回すための部分的切欠を上端部に設け、
溝及び突起を用いて該プロテクターに対して円周方向または軸方向またはその両方に揺動可能なプロテクター補助部材を外周部に設け、
前記揺動により前記部分的切欠の外周部を囲う面積が増減するように前記プロテクター補助部材の上端部に切欠あるいは突起を設け、
前記面積が増加する位置で前記プロテクター補助部材を固定させるための部位を設けた
ことを特徴とするプロテクター。
【請求項３】
胴と回転ベゼルとの外周部にプロテクターを配置する携帯時計であって、
前記胴については、
前記回転ベゼルの外周部を囲うための部分的突起を上端部に設け、
前記プロテクターについては、
前記胴に対して円周方向または軸方向またはその両方に揺動可能なように、前記胴の外周部に設けられた突起または溝に対応する溝または突起を内周部に設け、
前記揺動によって前記部分的突起で囲われていない回転ベゼルの外周部を囲う面積が増減するように、前記プロテクターの上端部に切欠あるいは突起を設け、
前記面積が増加する位置で前記プロテクターを固定させるための部位を設けるよう構成した
ことを特徴とする携帯時計。
【請求項４】
携帯時計の回転ベゼルと、該回転ベゼルの外周部を囲うための部分的突起を上端部に設けた胴と、の外周部に配置されるプロテクターであって、
該プロテクターは、
前記胴に対して円周方向または軸方向またはその両方に揺動可能なように、前記胴の外周部に設けられた突起または溝に対応する溝または突起を内周部に設け、
前記揺動によって前記部分的突起で囲われていない回転ベゼルの外周部を囲う面積が増減するように、該プロテクターの上端部に切欠あるいは突起を設け、
前記面積が増加する位置で該プロテクターを固定させるための部位を設けた
ことを特徴とするプロテクター。
【発明の詳細な説明】
【技術分野】
【０００１】
本発明は、回転ベゼルを備えた携帯時計及びそれに用いるプロテクターに関する。
【背景技術】
【０００２】
潜水用の腕時計では、回転ベゼルを他物体にぶつけた場合に、設定した時間表示が誤って変更されたり防水性能が低下するといった安全性に関する問題がある。
【０００３】
これらの問題を解決するための手段として、胴と回転ベゼルとの外周部にプロテクターを配置する携帯時計がある（特許文献１）。
【特許文献１】特公昭５６−４１０７５号公報
【発明の開示】
【発明が解決しようとする課題】
【０００４】
しかしながら、上記の方法では、安全性に配慮して回転ベゼルを囲う面積を広くすると手で回すための切欠部分が狭くなり、反対に利便性に配慮して手で回すための切欠部分を広くすると回転ベゼルを囲う面積が狭くなる、という課題があった。
【０００５】
本発明は、上述のような問題点を解決するためになされたものであり、本発明の目的は、より安全性・利便性の高い携帯時計及びプロテクターを提供することにある。
【課題を解決するための手段】
【０００６】
上記目的を達成するために、本発明第１の携帯時計は、胴と回転ベゼルとの外周部にプロテクターを配置する携帯時計であって、前記プロテクターについては、前記回転ベゼルを手で回すための部分的切欠を上端部に設け、溝及び突起を用いて該プロテクターに対して円周方向または軸方向またはその両方に揺動可能なプロテクター補助部材を外周部に設け、前記揺動により前記部分的切欠の外周部を囲う面積が増減するように前記プロテクター補助部材の上端部に切欠あるいは突起を設け、前記面積が増加する位置で前記プロテクター補助部材を固定させるための部位を設けるよう構成したことを特徴とする。
【０００７】
本発明第２のプロテクターは、携帯時計の胴と回転ベゼルとの外周部に配置されるプロテクターであって、該プロテクターは、前記回転ベゼルを手で回すための部分的切欠を上端部に設け、溝及び突起を用いて該プロテクターに対して円周方向または軸方向またはその両方に揺動可能なプロテクター補助部材を外周部に設け、前記揺動により前記部分的切欠の外周部を囲う面積が増減するように前記プロテクター補助部材の上端部に切欠あるいは突起を設け、前記面積が増加する位置で前記プロテクター補助部材を固定させるための部位を設けたことを特徴とする。
【０００８】
本発明第３の携帯時計は、胴と回転ベゼルとの外周部にプロテクターを配置する携帯時計であって、前記胴については、前記回転ベゼルの外周部を囲うための部分的突起を上端部に設け、前記プロテクターについては、前記胴に対して円周方向または軸方向またはその両方に揺動可能なように、前記胴の外周部に設けられた突起または溝に対応する溝または突起を内周部に設け、前記揺動によって前記部分的突起で囲われていない回転ベゼルの外周部を囲う面積が増減するように、前記プロテクターの上端部に切欠あるいは突起を設け、前記面積が増加する位置で前記プロテクターを固定させるための部位を設けるよう構成したことを特徴とする。
【０００９】
本発明第４のプロテクターは、携帯時計の回転ベゼルと、該回転ベゼルの外周部を囲うための部分的突起を上端部に設けた胴と、の外周部に配置されるプロテクターであって、該プロテクターは、前記胴に対して円周方向または軸方向またはその両方に揺動可能なように、前記胴の外周部に設けられた突起または溝に対応する溝または突起を内周部に設け、前記揺動によって前記部分的突起で囲われていない回転ベゼルの外周部を囲う面積が増減するように、該プロテクターの上端部に切欠あるいは突起を設け、前記面積が増加する位置で該プロテクターを固定させるための部位を設けたことを特徴とする。
【発明の効果】
【００１０】
以上説明したように本発明の携帯時計及びプロテクターによれば、回転ベゼルを囲う面積を増減させることが可能となるので、手で回すためのスペースをとりながらも、衝撃による回転ベゼルの不用意な回転や防水性能の低下といった安全性の問題をより防止することができ、安全性・利便性が高まる。
【発明を実施するための最良の形態】
【００１１】
以下、本発明を実施するための最良の形態を、図面を用いて説明する。
【００１２】
図１は、携帯時計の一例を示す図である。この図は胴１０と回転ベゼル２０との外周部にプロテクター３０を配置する携帯時計を１２時方向と６時方向から見た側面図である。この例ではプロテクター３０が胴１０に四本の固定ねじ３１で着脱可能に固定されているが、固定ねじ３１を用いずに永久固定してあってもよい。プロテクター３０については、回転ベゼル２０を手で回すための部分的切欠３２を上端部に設け、溝４３ａ、４３ｂ、４３ｃ及び突起３３ａ、３３ｂ、３３ｃを用いてプロテクターに対して円周方向４１ａ、４１ｂに揺動可能なプロテクター補助部材４０を外周部に設け、揺動により部分的切欠３２の外周部を囲う面積３４が増減するようにプロテクター補助部材４０の上端部に切欠あるいは突起４４を設け、面積３４が増加する位置でプロテクター補助部材４０を固定させるための部位３５、４５を設けるよう構成したものである。図の上段の状態においてプロテクター補助部材４０を円周方向４１ａに揺動させると図の下段の状態になり、反対に図の下段の状態においてプロテクター補助部材４０を円周方向４１ｂに揺動させると図の上段の状態になる。
【００１３】
図１ではプロテクター補助部材４０を円周方向４１ａ、４１ｂに揺動させる構成であるが、図２に示すように軸方向４１ｃ、４１ｄに揺動可能な構成であってもよいし、図３に示すように円周方向と軸方向４１ｅ、４１ｆに揺動可能な構成であってもよい。また、これらの図ではプロテクター３０の外周部に突起３３ａ、３３ｂ、３３ｃを設け、プロテクター補助部材４０の内周部に溝４３ａ、４３ｂ、４３ｃを設けて揺動を実現しているが、プロテクター３０の外周部に溝を設け、プロテクター補助部材４０の内周部に突起を設けるような構成としてもよい。
【００１４】
図４と図５はそれぞれプロテクター補助部材４０を固定させるための部位３５、４５の一例である。図４はプロテクター補助部材４０側にばね性のある二本の固定部位４５を設け、プロテクター３０側の固定部位３５と係合させる構造をとるものである。図５−ａはプロテクター３０側にねじ式の固定部位３５を設け、プロテクター補助部材４０側の固定部位４５を押圧する構造の側面図であり、図５−ｂは図５−ａにおけるＸ−Ｘ断面図である。これらの構造のようにプロテクター補助部材４０を固定できるのであればその他どのような構造をとってもよい。
【００１５】
プロテクター補助部材４０は、プロテクター３０に永久固定されていてもよいが、ねじやピン等で着脱可能であってもよい。図６はその一例である。図６−ａはピン４６と２つのＣリング４７ａ、４７ｂを用いてプロテクター補助部材４０を２つ部材４０ａ、４０ｂに分解・結合させる構造の側面図であり、図６−ｂは図６−ａのＸ方向から見た図、図６−ｃは図６−ａのＹ方向から見た断面図である。分解する位置に溝４３が通っている場合には、図６−ｂと図６−ｃに示すように溝４３の外周部にピン４６と二つのＣリング４７ａ、４７ｂを配置するとよい。図示しないが、ねじを用いて分解・結合させる構造を用いる場合は、図６のピン４６と２つのＣリング４７ａ、４７ｂをねじで置き換えることにより同様に実現できる。
【００１６】
図７に示すように、部分的切欠３２の外周部を囲う面積３４が減少する方向に作用するばね部材４８と、固定された部位３５、４５の固定を解除するボタン３８とを設けると、ボタン３８を押す操作により回転ベゼルを回せる状態に自動的に至るようにできるので利便性が高まり更によい。図８は固定部位３５、４５とボタン３８の一構成例である。図８−ａは側面図であり、図８−ｂは図８−ａにおけるＸ−Ｘ断面図である。
【００１７】
上述した構成では胴１０とプロテクター３０とプロテクター補助部材４０との三体構造をとっていたが、胴１０とプロテクター３０とを一体として胴５０とし、プロテクター補助部材４０をプロテクター６０として考えれば同様の機能を胴５０とプロテクター６０からなる二体構造で実現することも可能である。図９は携帯時計の別例を示す図である。図９の携帯時計は、胴５０と回転ベゼル２０との外周部にプロテクター６０を配置する携帯時計であって、胴５０については、回転ベゼル２０の外周部を囲うための部分的突起５２ａを上端部に設け、プロテクター６０については、胴５０に対して円周方向６１ａ、６１ｂに揺動可能なように、胴５０の外周部に設けられた突起５３ａ、５３ｂ、５３ｃに対応する溝６３ａ、６３ｂ、６３ｃを内周部に設け、揺動によって部分的突起５２ａで囲われていない回転ベゼル２０の外周部を囲う面積５２ｂが増減するように、プロテクター６０の上端部に切欠あるいは突起６４を設け、面積５２ｂが増加する位置でプロテクター６０を固定させるための部位５５、６５を設けるよう構成したものである。
【００１８】
この図では胴５０の外周部に突起５３ａ、５３ｂ、５３ｃを設け、プロテクター６０の内周部に溝６３ａ、６３ｂ、６３ｃを設けて揺動を実現しているが、胴５０の外周部に溝を設け、プロテクター６０の内周部に突起を設けるような構成としてもよい。なお、図示しないが、軸方向や、円周方向及び軸方向に揺動させることは上述した図２及び図３と同様に実現可能である。また、プロテクター６０を固定させるための部位５５、６５は上述した図４及び図５と同様に実現可能である。また、プロテクター６０は、胴５０に永久固定されていてもよいが、ねじやピン等で着脱可能であってもよい。これらの構成は上述した図６の説明と同様に実現可能である。
【００１９】
図９に示すように、部分的突起５２ａで囲われていない回転ベゼル２０の外周部を囲う面積５２ｂが減少する方向に作用するばね部材６８と、固定された部位５５、６５の固定を解除するボタン５８とを設けると、ボタン５８を押す操作により回転ベゼルを回せる状態に自動的に至るようにできるので利便性が高まり更によい。固定部位５５、６５とボタン５８は図８と同様に実現可能である。
【図面の簡単な説明】
【００２０】
【図１】携帯時計の一例を示す第１の図である。
【図２】携帯時計の一例を示す第２の図である。
【図３】携帯時計の一例を示す第３の図である。
【図４】固定部位の一例を示す第１の図である。
【図５】固定部位の一例を示す第２の図である。
【図６】着脱可能なプロテクター補助部材の一例を示す図である。
【図７】携帯時計の一例を示す第４の図である。
【図８】固定部位とボタンの一例を示す図である。
【図９】携帯時計の別例を示す図である。
【符号の説明】
【００２１】
１０    胴
２０    回転ベゼル
３０    プロテクター
３１    固定ねじ
３２    部分的切欠
３３ａ、３３ｂ、３３ｃ  突起
３４    外周部を囲う面積
３５    プロテクター側の固定部位
３８    ボタン
４０    プロテクター補助部材
４０ａ  第１のプロテクター補助部材
４０ｂ  第２のプロテクター補助部材
４１ａ、４１ｂ  円周方向
４１ｃ、４１ｄ  軸方向
４１ｅ、４１ｆ  円周方向及び軸方向
４１ｇ、４１ｈ  円周方向
４３、４３ａ、４３ｂ、４３ｃ  溝
４４    切欠あるいは突起
４５    プロテクター補助部材側の固定部位
４６    ピン
４７ａ、４７ｂ  Ｃリング
４８    ばね部材
５０    胴
５２ａ  部分的突起
５２ｂ  外周部を囲う面積
５３ａ、５３ｂ、５３ｃ  突起
５５    胴側の固定部位
５８    ボタン
６０    プロテクター
６１ａ、６１ｂ  円周方向
６３ａ、６３ｂ、６３ｃ  溝
６４    切欠あるいは突起
６５    プロテクター側の固定部位
６６    固定ねじ
６８    ばね部材
【図１】
2010043893.tif 000003
【図２】
2010043893.tif 000004
【図３】
2010043893.tif 000005
【図４】
2010043893.tif 000006
【図５】
2010043893.tif 000007
【図６】
2010043893.tif 000008
【図７】
2010043893.tif 000009
【図８】
2010043893.tif 000010
【図９】
2010043893.tif 000011